(57)【要約】【課題】  発電に使用可能なＬＮＧ量や発電可能な日数などを適正かつ迅速に把握することが可能なＬＮＧ管理システムを提供する。【解決手段】  発電所におけるＬＮＧ保有量を管理、記憶する保有量サーバ２と、発電以外へのＬＮＧ使用量を管理、記憶する発電外サーバ３と、保有量サーバ２からＬＮＧ保有量を取得するとともに、発電外サーバ３から発電以外へのＬＮＧ使用量を取得する発電サーバ４とを備える。発電サーバ４は、ＬＮＧ保有量と発電以外へのＬＮＧ使用量とに基づいて、発電に使用可能なＬＮＧ量を算出し、さらに、算出した発電に使用可能なＬＮＧ量と、発電の負荷率とに基づいて、発電可能な日数を算出する。【選択図】  図１
2010092310.tif 000002
【特許請求の範囲】
【請求項１】
発電所におけるＬＮＧの保有量や使用量などを管理するＬＮＧ管理システムであって、
前記発電所におけるＬＮＧ保有量を管理、記憶する保有量管理手段と、
発電以外へのＬＮＧ使用量を管理、記憶する発電外使用管理手段と、
前記保有量管理手段から取得したＬＮＧ保有量と、前記発電外使用管理手段から取得した発電以外へのＬＮＧ使用量とに基づいて、発電に使用可能なＬＮＧ量を算出する発電管理手段と、を備えたことを特徴とするＬＮＧ管理システム。
【請求項２】
前記発電管理手段は、算出した前記発電に使用可能なＬＮＧ量と、発電の負荷率とに基づいて、発電可能な日数を算出することを特徴とする請求項１に記載のＬＮＧ管理システム。
【請求項３】
前記発電管理手段は、算出した前記発電可能な日数と、ＬＮＧの受入に要する日数とに基づいて、ＬＮＧの受入を要求すべき日を割り出すことを特徴とする請求項２に記載のＬＮＧ管理システム。
【請求項４】
前記保有量管理手段は、実際に保有するＬＮＧ量と、受入が計画されているＬＮＧ量とに基づいて前記ＬＮＧ保有量を管理、記憶することを特徴とする請求項１から３のいずれか１項に記載のＬＮＧ管理システム。
【請求項５】
前記発電外使用管理手段は、過去の実績データに基づいて前記発電以外へのＬＮＧ使用量を管理、記憶することを特徴とする請求項１から４のいずれか１項に記載のＬＮＧ管理システム。
【請求項６】
発電所におけるＬＮＧの保有量や使用量などを管理するＬＮＧ管理プログラムであって、コンピュータを、
前記発電所におけるＬＮＧ保有量を管理、記憶する保有量管理手段と、
発電以外へのＬＮＧ使用量を管理、記憶する発電外使用管理手段と、
前記保有量管理手段によるＬＮＧ保有量と、前記発電外使用管理手段によるＬＮＧ使用量とに基づいて、発電に使用可能なＬＮＧ量を算出する発電管理手段として機能させるためのＬＮＧ管理プログラム。
【請求項７】
前記発電管理手段は、算出した前記発電に使用可能なＬＮＧ量と、発電の負荷率とに基づいて、発電可能な日数を算出することを特徴とする請求項６に記載のＬＮＧ管理プログラム。
【発明の詳細な説明】
【技術分野】
【０００１】
本発明は、発電所におけるＬＮＧ（液化天然ガス）の保有量や使用量などを管理するＬＮＧ管理システムおよびＬＮＧ管理プログラムに関する。
【背景技術】
【０００２】
ＬＮＧは、主として海外からＬＮＧ船によって国内の受入基地に運ばれており、ＬＮＧの円滑な受入を図るために、ＬＮＧ船の配船計画を迅速に作成などするシステムが知られている（例えば、特許文献１参照。）。また、需要地（受入基地）の発電能力などに基づいて、効率的で最大利益が得られる最適需要地を決定してＬＮＧ船を向かわせるシステムが知られている（例えば、特許文献２参照。）。
【０００３】
一方、ＬＮＧを消費する発電所などにおいては、ＬＮＧの保有量（残存量）を正確に把握し、かつ、実際の使用量（消費量）や消費計画などに基づいて、ＬＮＧの発注・受入計画や発電計画などを立案する必要がある。すなわち、例えば、発電所においては、ＬＮＧの保有量を把握し、消費計画などに基づいて発電に使用可能なＬＮＧ量や発電可能な日数などを算出する必要がある。
【特許文献１】特開２００４−２３８１８０号公報
【特許文献２】特開２００６−２６０１５５号公報
【発明の開示】
【発明が解決しようとする課題】
【０００４】
ところで、発電所においては、保有するＬＮＧを発電に使用する他に、タンクローリーやパイプラインなどを介して外部に販売する場合がある。このような場合に、発電に使用可能なＬＮＧ量や発電可能な日数などを算出するには、多大な労力と時間とを要し、適正かつ迅速な算出、把握が困難であった。すなわち、ＬＮＧの保有量や外部に販売する販売量などの情報を入手するとともに、発電の負荷率などを把握して算出しなければならない。そして、このような情報の入手や把握などは、人手で行わなければならず、しかも、ＬＮＧの保有量を管理する部署やＬＮＧを販売する部署などが異なるため、適正かつ迅速な情報の入手などが困難であった。この結果、発電に使用可能なＬＮＧ量や発電可能な日数などを適正かつ迅速に把握することが困難であった。
【０００５】
そこでこの発明は、発電に使用可能なＬＮＧ量や発電可能な日数などを適正かつ迅速に把握することが可能なＬＮＧ管理システムおよびＬＮＧ管理プログラムを提供することを目的とする。
【課題を解決するための手段】
【０００６】
上記目的を達成するために請求項１に記載の発明は、発電所におけるＬＮＧの保有量や使用量などを管理するＬＮＧ管理システムであって、前記発電所におけるＬＮＧ保有量を管理、記憶する保有量管理手段と、発電以外へのＬＮＧ使用量を管理、記憶する発電外使用管理手段と、前記保有量管理手段から取得したＬＮＧ保有量と、前記発電外使用管理手段から取得した発電以外へのＬＮＧ使用量とに基づいて、発電に使用可能なＬＮＧ量を算出する発電管理手段と、を備えたことを特徴とする。
【０００７】
（作用）
保有量管理手段によって発電所におけるＬＮＧ保有量が管理、記憶され、発電外使用管理手段によって発電以外へのＬＮＧ使用量が管理、記憶される。そして、ＬＮＧ保有量とＬＮＧ使用量とが発電管理手段によって取得され、発電に使用可能なＬＮＧ量が算出される。
【０００８】
請求項２に記載の発明は、請求項１に記載のＬＮＧ管理システムにおいて、前記発電管理手段は、算出した前記発電に使用可能なＬＮＧ量と、発電の負荷率とに基づいて、発電可能な日数を算出することを特徴とする。
【０００９】
請求項３に記載の発明は、請求項２に記載のＬＮＧ管理システムにおいて、前記発電管理手段は、算出した前記発電可能な日数と、ＬＮＧの受入に要する日数とに基づいて、ＬＮＧの受入を要求すべき日を割り出すことを特徴とする。
【００１０】
請求項４に記載の発明は、請求項１から３のいずれか１項に記載のＬＮＧ管理システムにおいて、前記保有量管理手段は、実際に保有するＬＮＧ量と、受入が計画されているＬＮＧ量とに基づいて前記ＬＮＧ保有量を管理、記憶することを特徴とする。
【００１１】
請求項５に記載の発明は、請求項１から４のいずれか１項に記載のＬＮＧ管理システムにおいて、前記発電外使用管理手段は、過去の実績データに基づいて前記発電以外へのＬＮＧ使用量を管理、記憶することを特徴とする。
【００１２】
請求項６に記載の発明は、発電所におけるＬＮＧの保有量や使用量などを管理するＬＮＧ管理プログラムであって、コンピュータを、前記発電所におけるＬＮＧ保有量を管理、記憶する保有量管理手段と、発電以外へのＬＮＧ使用量を管理、記憶する発電外使用管理手段と、前記保有量管理手段によるＬＮＧ保有量と、前記発電外使用管理手段によるＬＮＧ使用量とに基づいて、発電に使用可能なＬＮＧ量を算出する発電管理手段として機能させるためのＬＮＧ管理プログラムである。
【００１３】
請求項７に記載の発明は、請求項６に記載のＬＮＧ管理プログラムにおいて、前記発電管理手段は、算出した前記発電に使用可能なＬＮＧ量と、発電の負荷率とに基づいて、発電可能な日数を算出することを特徴とする。
【発明の効果】
【００１４】
請求項１および６に記載の発明によれば、保有量管理手段によって管理、記憶されているＬＮＧ保有量と、発電外使用管理手段によって管理、記憶されている発電以外へのＬＮＧ使用量（以下、適宜、「発電外使用量」という）とに基づいて、発電に使用可能なＬＮＧ量（以下、適宜、「発電用ＬＮＧ量」という）が算出される。このように、算出に必要な情報を当該情報を管理、記憶する各手段から取得して算出するため、発電用ＬＮＧ量を適正かつ迅速に算出することができる。つまり、適正かつ最新のＬＮＧ保有量や発電外使用量の情報に基づいて、発電用ＬＮＧ量を適正かつリアルタイムに把握することが可能となる。
【００１５】
請求項２および７に記載の発明によれば、算出した発電用ＬＮＧ量と発電の負荷率とに基づいて、発電可能な日数が算出される。つまり、上記のようにして適正かつリアルタイムに算出された発電用ＬＮＧ量に基づいて発電可能な日数が算出されるため、発電可能な日数を適正かつリアルタイムに把握することが可能となる。
【００１６】
請求項３に記載の発明によれば、算出した発電可能な日数と、ＬＮＧの受入に要する日数とに基づいて、ＬＮＧの受入を要求すべき日（ＬＮＧを発注すべき日）が割り出される。つまり、上記のようにして適正かつリアルタイムに算出された発電可能な日数に基づいてＬＮＧの受入を要求すべき日が割り出されるため、受入を要求すべき日を適正かつリアルタイムに把握することが可能となる。
【００１７】
また、以上により、発電用ＬＮＧ量や発電可能な日数、さらにはＬＮＧの受入を要求すべき日を人手で算出、割り出す必要がなくなり、労力と時間を削減することができる。
【００１８】
請求項４に記載の発明によれば、実際に保有する（現存の）ＬＮＧ量のみならず、受入が計画されているＬＮＧ量にも基づいてＬＮＧ保有量が管理、記憶される。つまり、現在および将来保有するＬＮＧ量に基づいて発電用ＬＮＧ量や発電可能な日数の算出などが行われるため、より適正な算出などが可能となる。
【００１９】
請求項５に記載の発明によれば、過去の実績データに基づいて発電外使用量が管理、記憶される。このため、過去の実績に合った発電用ＬＮＧ量や発電可能な日数の算出などが行われ、より適正な算出などが可能となる。
【発明を実施するための最良の形態】
【００２０】
以下、この発明を図示の実施の形態に基づいて説明する。
【００２１】
（実施の形態１）
図１は、この実施の形態に係るＬＮＧ管理システム１の概略構成図である。このＬＮＧ管理システム１は、発電所（ＬＮＧ発電プラント）におけるＬＮＧの保有量や使用量（消費量）などを管理するシステムであって、主として、保有量サーバ（保有量管理手段）２と、発電外サーバ（発電外使用管理手段）３と、発電サーバ（発電管理手段）４とを備え、これらが通信網（図示せず）を介して相互に通信可能に接続されている。
【００２２】
保有量サーバ２は、発電所におけるＬＮＧ保有量を管理、記憶するサーバであり、ＬＮＧ保有量を管理する部署に配設されている。この保有量サーバ２は、ＬＮＧタンク５内に実際に保有されているＬＮＧ量と、受入が計画されているＬＮＧ量とに基づいてＬＮＧ保有量を管理、記憶するものである。具体的には、図２に示すフローチャートに基づいて、ＬＮＧ保有量を管理、記憶する。まず、各ＬＮＧタンク５に配設されＬＮＧタンク５内のＬＮＧ貯蔵レベル（深さ）を検出するレベル検出器（図示せず）から、レベル値を定期的に受信する（ステップＳ１）。次に、このレベル値に基づいて、各ＬＮＧタンク５に実際に保有されている（残存している）ＬＮＧ量を算出する（ステップＳ２）。つまり、レベル値とＬＮＧ量（体積）との関係式、関係グラフから、ＬＮＧ量を算出する。ここで、算出したＬＮＧ量の単位はキロリットル（体積）であるため、トン（重量）に換算する（ステップＳ３）。つまり、算出した各ＬＮＧタンク５内のＬＮＧ量（体積）に、各ＬＮＧタンク５内のＬＮＧの比重を乗じて重量に換算する。ここで、各ＬＮＧタンク５内のＬＮＧの比重は、ＬＮＧ受入時に保有量サーバ２に記憶されるようになっている。続いて、各ＬＮＧタンク５内のＬＮＧ重量を積算して、発電所内で保有されている全ＬＮＧ残存量を算出し（ステップＳ４）、その結果をメモリに記憶する（ステップＳ５）。
【００２３】
一方、保有量サーバ２には、ＬＮＧの受入が計画されている情報が逐次、入力、送信されるようになっている。すなわち、図３に示すようなＬＮＧ船入港計画表が作成されると、この計画表が保有量サーバ２に入力または送信され（ステップＳ６）、メモリに記憶される（ステップＳ７）。また、受入計画の変更があった場合にも、新たなＬＮＧ船入港計画表が入力または送信され、記憶される。ここで、１回の受入でのＬＮＧ受入量は一定とし、ＬＮＧ船入港計画表中の入港予定日に、一定のＬＮＧ受入量が上記の全ＬＮＧ残存量に加算されてＬＮＧ保有量となる。そして、後述するように、発電サーバ４からのデータ要求に応じて、その時点での全ＬＮＧ残存量とＬＮＧ船入港計画表とを発電サーバ４に送信するようになっている。
【００２４】
発電外サーバ３は、発電以外へのＬＮＧ使用量（発電外使用量）を管理、記憶するサーバであり、ＬＮＧを外部に供給（販売）する部署に配設されている。すなわち、この実施の形態では、ＬＮＧの発電用途以外への供給は、タンクローリー６およびパイプライン７を介して行わる。このタンクローリー６にＬＮＧを供給するローリー用タンク８と、パイプライン７とには流量計（図示せず）が配設され、それぞれの流量計から計測データ（供給量）が発電外サーバ３に送信されるようになっている。これにより、発電外サーバ３において外部への供給量を積算し、発電外使用量を過去の実績データとして、管理、記憶するものである。また、この実施の形態では、過去３ヶ月間における月平均の発電外使用量を逐次算出し、後述するように、発電サーバ４からのデータ要求に応じて、その時点での月平均の発電外使用量を発電サーバ４に送信するようになっている。
【００２５】
発電サーバ４は、発電に使用可能なＬＮＧ量（発電用ＬＮＧ量）を算出などするサーバであり、発電設備９を管理、運用する部署に配設されている。この発電サーバ４は、図４に示すように、ガス量算出タスク４１と、発電日数算出タスク４２と、要求日割出タスク４３と、これらを起動制御などする制御タスク４４とを備えている。
【００２６】
ガス量算出タスク４１は、ＬＮＧ保有量と発電外使用量とに基づいて、発電用ＬＮＧ量を算出するタスクであり、図５に示すフローチャートに基づいている。まず、保有量サーバ２に対してデータ要求を送信して（ステップＳ１１）、保有量サーバ２から上記のような全ＬＮＧ残存量とＬＮＧ船入港計画表とを受信する（ステップＳ１２）。同様に、発電外サーバ３に対してデータ要求を送信して（ステップＳ１３）、発電外サーバ３から上記のような月平均の発電外使用量を受信する（ステップＳ１４）。次に、全ＬＮＧ残存量から月平均の発電外使用量を差し引き（ステップＳ１５）、現時点から１ヶ月以内にＬＮＧの受入があるか否かをＬＮＧ船入港計画表に基づいて判断する（ステップＳ１６）。そして、受入がある場合には、次式のように、受入回数に応じたＬＮＧ受入量を加算して（ステップＳ１７）、発電用ＬＮＧ量を算出する。
【００２７】
発電用ＬＮＧ量＝全ＬＮＧ残存量−月平均の発電外使用量＋ＬＮＧ受入量
続いて、算出した発電用ＬＮＧ量をメモリに記憶する（ステップＳ１８）ものである。このように、この実施の形態では、現時点から１ヶ月内における発電用ＬＮＧ量を算出するようになっている。
【００２８】
発電日数算出タスク４２は、算出した発電用ＬＮＧ量と発電の負荷率（発電条件）とに基づいて、発電可能な日数を算出するタスクであり、図６に示すフローチャートに基づいている。まず、メモリから発電用ＬＮＧ量を取得する（ステップＳ２１）とともに、発電の負荷率を取得する（ステップＳ２２）。ここで、発電の負荷率は、予め入力、登録された値とし、複数の負荷率を入力、登録できるようになっている。さらに、負荷率が１００％における１日当たりのＬＮＧ消費量（以下、「全負荷時消費量」という）をメモリから取得する（ステップＳ２３）。この全負荷時消費量は、過去の実績データに基づいて記憶された値となっている。次に、次式に従って発電可能な日数を算出する（ステップＳ２４）。
発電可能な日数＝発電用ＬＮＧ量÷（全負荷時消費量×負荷率／１００）
【００２９】
続いて、現時点からの運転日数（稼働日数）とＬＮＧの残存予測量との関係を示すグラフを次式に従って作成する（ステップＳ２５）。
残存予測量＝発電用ＬＮＧ量−（全負荷時消費量×負荷率／１００）×稼働日数
【００３０】
ここで、発電の負荷率として、例えば、１００％、８０％、６０％の３つの値が登録されているとし、これらの３つの負荷率に対して、発電可能な日数とグラフとを算出、作成する。これにより、例えば、図７に示すようなグラフが作成される。そして、算出、作成した発電可能な日数とグラフとをメモリに記憶する（ステップＳ２６）ものである。
【００３１】
要求日割出タスク４３は、算出した発電可能な日数と、ＬＮＧの受入に要する日数とに基づいて、ＬＮＧの受入を要求すべき日（ＬＮＧの要求日）を割り出すタスクである。すなわち、ＬＮＧの受入に要する日数、つまりＬＮＧの受入（発注）を手配してからＬＮＧを入手できるまでの日数が予めメモリに記憶され、次式のように、この日数を発電可能な日数から差し引いた日数を現在日に加算した日を要求すべき日とする。
ＬＮＧの要求日＝現在日＋（発電可能な日数−受入に要する日数）
【００３２】
このように、この実施の形態では、ＬＮＧの残存予測量がゼロになる日にＬＮＧが受け入れられるようにＬＮＧの受入を割り出している。そして、このようにしてＬＮＧの要求日が割り出されることによって、次のようなことが把握できるものである。すなわち、発電可能な日数が受入に要する日数よりも少ない場合、つまり、ＬＮＧの要求日が現在日よりも前の日になる場合には、ＬＮＧを受け入れる前にＬＮＧの保有量（残存量）がなくなる。このため、発電負荷を変更したり、発電以外へのＬＮＧ使用量を変更（削減）したり、あるいはＬＮＧを緊急要求したりすることが必要と把握される。また、割り出されたＬＮＧの要求日よりも前に、実際にＬＮＧの要求がされているか否かを確認する。つまり、ＬＮＧ船入港計画表に基づいて、現在日から発電可能な日数の間に、次のＬＮＧの受け入れがあるか否かを確認し、次のＬＮＧの受け入れがない場合には、発電負荷の変更や発電以外へのＬＮＧ使用量の変更などが必要と把握される。
【００３３】
次に、このような構成のＬＮＧ管理システム１の処理動作を図８に示すフローチャートに基づいて説明する。
【００３４】
まず、上記のようにして、保有量サーバ２において発電所におけるＬＮＧ保有量が逐次、管理、記憶される（ステップＳ３１）とともに、発電外サーバ３において発電外使用量が逐次、管理、記憶される（ステップＳ３２）。次に、発電サーバ４においてガス量算出タスク４１が起動されると（ステップＳ３３）、上記のように、保有量サーバ２と発電外サーバ３とにデータ要求が送信される（ステップＳ３４）。そして、保有量サーバ２からのＬＮＧ保有量（ステップＳ３５）と、発電外サーバ３からの月平均の発電外使用量とを受信する（ステップＳ３６）と、上記のようにして発電用ＬＮＧ量が算出される（ステップＳ３７）。続いて、発電日数算出タスク４２が起動され（ステップＳ３８）、上記のようにして発電可能な日数とグラフとが算出、作成される（ステップＳ３９）。さらに、要求日割出タスク４３が起動され（ステップＳ４０）、上記のようにしてＬＮＧの受入を要求すべき日が割り出される（ステップＳ４１）ものである。
【００３５】
以上のように、このＬＮＧ管理システム１によれば、保有量サーバ２によって管理、記憶されているＬＮＧ保有量と、発電外サーバ３によって管理、記憶されている発電外使用量とに基づいて、発電サーバ４のガス量算出タスク４１によって発電用ＬＮＧ量が算出される。このように、発電用ＬＮＧ量の算出に必要な情報を、当該情報を逐次、管理、記憶する各サーバ２、３から受信して算出するため、発電用ＬＮＧ量を適正かつ迅速に算出することができる。つまり、適正かつ最新のＬＮＧ保有量や発電外使用量の情報に基づいて、発電用ＬＮＧ量を適正かつリアルタイムに把握することが可能となる。
【００３６】
また、発電日数算出タスク４２によって、算出した発電用ＬＮＧ量に基づいた発電可能な日数が算出される。つまり、上記のようにして適正かつリアルタイムに算出された発電用ＬＮＧ量に基づいて発電可能な日数が算出されるため、発電可能な日数を適正かつリアルタイムに把握することが可能となる。さらに、要求日割出タスク４３によって、算出した発電可能な日数に基づいたＬＮＧの受入を要求すべき日が割り出される。つまり、上記のようにして適正かつリアルタイムに算出された発電可能な日数に基づいてＬＮＧの受入を要求すべき日が割り出されるため、受入を要求すべき日を適正かつリアルタイムに把握することが可能となる。また、以上により、発電用ＬＮＧ量や発電可能な日数、さらにはＬＮＧの受入を要求すべき日を人手で算出、割り出す必要がなくなり、労力と時間を削減することができる。
【００３７】
一方、保有量サーバ２において、実際に保有するＬＮＧ量のみならず、受入が計画されているＬＮＧ量にも基づいてＬＮＧ保有量が管理、記憶される。つまり、現在および将来保有するＬＮＧ量に基づいて発電用ＬＮＧ量や発電可能な日数の算出などが行われるため、より適正な算出などが可能となる。さらに、発電外サーバ３において、過去の実績データに基づいて発電外使用量が管理、記憶される。このため、過去の実績に合った発電用ＬＮＧ量や発電可能な日数の算出などが行われ、より適正な算出などが可能となる。
【００３８】
そして、以上のようにして適正かつリアルタイムに発電用ＬＮＧ量や発電可能な日数などを把握できることにより、精度よい運転計画（発電計画）を立てることなどが可能となる。すなわち、発電設備９に出力指令を送る中央給電指令所などに、このＬＮＧ管理システム１から発電用ＬＮＧ量や発電可能な日数などを送る。これにより、中央給電指令所などにおいて、燃料面から精度よい運転計画を立てることや、他の発電所でのトラブル発生などにより運転計画を変更する場合に、迅速かつ適正な運転計画を立てることなどが可能となる。また、ＬＮＧの調達計画を立てる部署に、このＬＮＧ管理システム１から発電用ＬＮＧ量や発電可能な日数などを送ることで、単発的に（スポットで）ＬＮＧを受け入れる必要性が発生した場合の受入日の計画などを、迅速かつ適正に立てることが可能となる。
【００３９】
（実施の形態２）
図９は、この実施の形態に係るＬＮＧ管理プログラム１１の概略構成ブロック図である。このＬＮＧ管理プログラム１１は、発電所におけるＬＮＧの保有量や使用量などを管理するプログラムであって、コンピュータを、発電所におけるＬＮＧ保有量を管理、記憶する保有量管理手段と、発電以外へのＬＮＧ使用量を管理、記憶する発電外使用管理手段と、保有量管理手段によるＬＮＧ保有量と、発電外使用管理手段によるＬＮＧ使用量とに基づいて、発電に使用可能なＬＮＧ量を算出などする発電管理手段として機能させるためのプログラムである。
【００４０】
具体的には、保有量管理手段としての保有量管理タスク１２において、上記保有量サーバ２と同様に、各ＬＮＧタンク５のレベル検出器から受信したレベル値や、ＬＮＧ船入港計画表に基づいてＬＮＧ保有量を管理、記憶する。また、発電外使用管理手段としての発電外使用管理タスク１３において、上記発電外サーバ３と同様に、パイプライン７の流量計などから受信した計測データに基づいて、発電外使用量を過去の実績データとして、管理、記憶する。そして、ガス量算出タスク（発電管理手段）１４において、上記ガス量算出タスク４１と同様に、保有量管理タスク１２からのＬＮＧ保有量と発電外使用管理タスク１３からの発電外使用量とに基づいて、発電用ＬＮＧ量を算出する。また、発電日数算出タスク（発電管理手段）１５において、上記発電日数算出タスク４２と同様に、算出した発電用ＬＮＧ量と発電の負荷率とに基づいて、発電可能な日数を算出する。さらに、要求日割出タスク（発電管理手段）１６において、上記要求日割出タスク４３と同様に、算出した発電可能な日数と、ＬＮＧの受入に要する日数とに基づいて、ＬＮＧの受入を要求すべき日を割り出すものである。なお、これらのタスク１２〜１６は、制御タスク１７によって起動制御される。
【００４１】
このようなＬＮＧ管理プログラム１１を中央給電指令所のコンピュータや汎用のコンピュータなどにインストールすることで、適正かつリアルタイムに発電用ＬＮＧ量や発電可能な日数、さらにはＬＮＧの受入を要求すべき日を把握することが可能となる。しかも、中央給電指令所のコンピュータなどにインストールすればよいため、導入を容易かつ迅速に行える。
【００４２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、現時点から１ヶ月内における発電用ＬＮＧ量を算出し、これに基づいて発電可能な日数の算出などを行っているが、計画されているＬＮＧの受入すべてを考慮して、稼働日数とＬＮＧの残存予測量との関係グラフを作成などするようにしてもよい。すなわち、現時点の全ＬＮＧ残存量を起点とし、日平均の発電外使用量と発電のためのＬＮＧ消費量（全負荷時消費量×負荷率／１００）を１日ごとに差し引く。そして、ＬＮＧ船入港計画表中の入港予定日に、一定のＬＮＧ受入量を加算して、図１０に示すような関係グラフを作成するものである。これにより、ＬＮＧ船入港計画表に従った残存予測量の把握や、ＬＮＧの受入計画の是非、見直しなどを容易に行うことができる。
【００４３】
また、発電外サーバ３において、過去の実績データに基づいて発電外使用量を管理、記憶しているが、タンクローリー６やパイプライン７を介して外部に供給（外販）する外販計画に基づいて、つまり将来の外販情報に基づいて、発電外使用量を管理、記憶するようにしてもよい。さらに、保有量サーバ２と発電外サーバ３とを１つのサーバとしたり、サーバ２〜４を１つのサーバにしたりしてもよい。
【図面の簡単な説明】
【００４４】
【図１】この発明の実施の形態１に係るＬＮＧ管理システムの概略構成図である。
【図２】図１のＬＮＧ管理システムの保有量サーバにおいて、発電所におけるＬＮＧ保有量を管理、記憶する手順を示すフローチャートである。
【図３】図２において受信するＬＮＧ船入港計画表の１例を示す図である。
【図４】図１のＬＮＧ管理システムの発電サーバのタスク構成を示すブロック図である。
【図５】図４の発電サーバのガス量算出タスクのフローチャートである。
【図６】図４の発電サーバの発電日数算出タスクのフローチャートである。
【図７】図６において作成したグラフの１例を示す図である。
【図８】図１のＬＮＧ管理システムの処理動作を示すフローチャートである。
【図９】この発明の実施の形態２に係るＬＮＧ管理プログラムのタスク構成を示すブロック図である。
【図１０】この発明における稼働日数とＬＮＧの残存予測量との関係グラフの他例を示す図である。
【符号の説明】
【００４５】
１        ＬＮＧ管理システム
２        保有量サーバ（保有量管理手段）
３        発電外サーバ（発電外使用管理手段）
４        発電サーバ（発電管理手段）
４１      ガス量算出タスク
４２      発電日数算出タスク
４３      要求日割出タスク
４４      制御タスク
５        ＬＮＧタンク
６        タンクローリー
７        パイプライン
８        ローリー用タンク
９        発電設備
１１      ＬＮＧ管理プログラム
【図１】
2010092310.tif 000003
【図２】
2010092310.tif 000004
【図３】
2010092310.tif 000005
【図４】
2010092310.tif 000006
【図５】
2010092310.tif 000007
【図６】
2010092310.tif 000008
【図７】
2010092310.tif 000009
【図８】
2010092310.tif 000010
【図９】
2010092310.tif 000011
【図１０】
2010092310.tif 000012